(57)【要約】【課題】空調機と複数のＩＣＴ装置とが設置される機械室において、低価格で実現でき、簡易な運用を可能とする排熱回り込み防止技術を提供する。【解決手段】空調機とＩＣＴ装置とが設置される機械室において、吸気面同士が向い合うように設置された２つのＩＣＴ装置の間の通路における前記空調機に面した側に間仕切りを設置するようにする。【選択図】図３
2020094743.tif 000002
【特許請求の範囲】
【請求項１】
空調機とＩＣＴ装置とが設置される機械室における排熱回り込み防止方法であって、
吸気面同士が向い合うように設置された２つのＩＣＴ装置の間の通路における前記空調機に面した側に間仕切りを設置する排熱回り込み防止方法。
【請求項２】
前記通路はコールドアイルであり、当該コールドアイルにおける前記空調機に面した側の出入口に前記間仕切りを設置する
請求項１に記載の排熱回り込み防止方法。
【請求項３】
前記通路における前記空調機の側の一部の上部に上部間仕切りを更に設置する
請求項１又は２に記載の排熱回り込み防止方法。
【請求項４】
空調機とＩＣＴ装置とが設置される機械室における排熱回り込み防止のための間仕切りであって、
吸気面同士が向い合うように設置された２つのＩＣＴ装置の間の通路における前記空調機に面した側に設置される間仕切り。
【請求項５】
前記通路はコールドアイルであり、前記間仕切りは、当該コールドアイルにおける前記空調機に面した側の出入口に設置される
請求項４に記載の間仕切り。
【請求項６】
前記通路における前記空調機の側の一部の上部に設置される上部間仕切りを更に有する
請求項４又は５に記載の間仕切り。
【発明の詳細な説明】
【技術分野】
【０００１】
本発明は、機械室における省電力化に関し、特に、空調機の省電力化に関連するものである。
【背景技術】
【０００２】
データセンタや通信機械室では、運用する通信装置の故障を防ぐため、通信装置が発する熱への対策を講じる必要があり、多くの場合、空調機を使用して通信装置を冷却する。
【０００３】
一方、省電力の観点からは、空調機が使用する電力量を削減するため、空調を効率的に使用することが望ましい。空調効率を向上させる気流設計方法の一つに、空調機が吐き出す冷気と、通信装置が排出する熱気とを明確に区分けする「アイルキャッピング（登録商標）」がある（非特許文献１）。
【０００４】
非特許文献１に開示されている「アイルキャッピング（登録商標）」は、通信装置の吸気面同士を向かい合わせた通路であるコールドアイルを囲った空間を作り、排熱の回り込みを防止する方法である。
【先行技術文献】
【非特許文献】
【０００５】
【非特許文献１】http://www.ntt-f.co.jp/service/data_center/aco_aislecapping/、平成３０年１２月１０日検索
【発明の概要】
【発明が解決しようとする課題】
【０００６】
非特許文献１に開示されている方法によれば、排熱の回り込み防止に対しては高い効果が期待できるが、コールドアイルを形成する空間の天井部分の設備及び両側面部分の設備を設置する必要があり、設置工事費用が高額になることが多い。
【０００７】
また、常時閉じた空間になるため、通信装置のメンテナンス等の作業時には出入りの度に開閉が必要となり、運用が煩雑となる。
【０００８】
本発明は、上記の点に鑑みてなされたものであり、空調機と複数のＩＣＴ装置とが設置される機械室において、低価格で実現でき、簡易な運用を可能とする排熱回り込み防止技術を提供することを目的とする。
【課題を解決するための手段】
【０００９】
開示の技術によれば、空調機とＩＣＴ装置とが設置される機械室における排熱回り込み防止方法であって、
吸気面同士が向い合うように設置された２つのＩＣＴ装置の間の通路における前記空調機に面した側に間仕切りを設置する排熱回り込み防止方法が提供される。
【発明の効果】
【００１０】
開示の技術によれば、低価格で実現でき、簡易な運用を可能とする排熱回り込み防止技術を提供することができる。
【図面の簡単な説明】
【００１１】
【図１】通信装置の排熱の気流イメージを示す平面図である。
【図２】通信装置の気流イメージを示す側面図である。
【図３】間仕切り導入後の通信装置の排熱の気流イメージを示す平面図である。
【図４】間仕切りの設置例１を示す図である。
【図５】間仕切りの正面図である。
【図６】間仕切りの設置例２を示す図である。
【図７】上部間仕切りの平面図である。
【発明を実施するための形態】
【００１２】
以下、図面を参照して本発明の実施の形態を説明する。以下で説明する実施の形態は一例に過ぎず、本発明が適用される実施の形態は、以下の実施の形態に限られるわけではない。
【００１３】
例えば、以下の実施の形態では、通信機械室に設置された通信装置の冷却に対して本発明を適用することを想定しているが、本発明は、通信機械室及び通信装置に限らず、各種の機械室、及び各種のＩＣＴ（Information and Communications Technology）装置に適用可能である。そのような機械室として、例えば、通信機械室、コンピュータルーム、サーバルーム等がある。ＩＣＴ装置としては、例えば、交換機、スイッチ、ルータ等の通信装置、サーバ、コンピュータ、パッチパネル、パッチパネル制御ロボット等がある。また、本実施の形態では、二重床方式の通信機械室を想定しているが、本発明は二重床方式でない床を使用する場合にも適用可能である。
【００１４】
また、本実施の形態では、通信装置は、ラックに搭載されていることを想定しているが、そのような形態は一例である。例えば、通信装置自体がラックのような形状を有する形態であってもよいし、ラック等を使用せずに通信装置自体を積み上げるような形態であってもよいし、その他の形態であってもよい。また、通信装置が搭載されたラックを「通信装置」と称しても良い。このような「通信装置」もＩＣＴ装置の一例である。また、通信装置が搭載されたラックの列を「通信装置」と称しても良い。このような「通信装置」もＩＣＴ装置の一例である。
【００１５】
（通信装置の排熱の課題について）
上述したとおり、本実施の形態に係る通信機械室は、二重床方式を採用しており、空調機が排出した冷気は二重床内を通過して上部に出て、通信装置の吸気面から吸い込まれる。通信装置により冷気は暖気となり、暖気が通信装置から排出される。通信装置から排出された暖気（排熱）は二重床上空間を通過し空調機に戻る。
【００１６】
図１は、通信装置の排熱の気流イメージを示す図である。図１は、通信機械室における空調機２０、及び通信装置１０Ａ、１０Ｂを上から見た平面図である。通信装置１０Ａと通信装置１０Ｂはそれぞれ４つのラックからなる。なお、ラックの数は例である。
【００１７】
通信装置１０Ａと通信装置１０Ｂは、冷気を吸い込む吸気面（通信装置１０Ａの右側の面、通信装置１０Ｂの左側の面）が向い合せに設置されている。通信装置１０Ａの吸気面と通信装置１０Ｂの吸気面との間の通路をコールドアイルと呼ぶ。
【００１８】
図１に示すように、空調機２０の正面（通信装置１０Ａ、１０Ｂに向かう側の面）と、通信装置１０Ａ、１０Ｂの吸気面とが垂直になるように空調機２０、及び通信装置１０Ａ、１０Ｂが配置されている。ただし、「垂直」とは厳密な垂直である必要はない。「垂直」を「ほぼ垂直」、「略垂直」等と言い換えても良い。
【００１９】
図２は、空調機２０、及び通信装置１０Ａ、１０Ｂを横から見た側面図である。空調機２０から送出された冷気は上昇し、コールドアイルの床面から送出され、通信装置１０Ａ、１０Ｂの吸気面から吸い込まれ、通信装置１０Ａ、１０Ｂの背面から排熱が排出される。
【００２０】
図１に示したように、通信装置１０Ａ、１０Ｂの排熱は空調機２０に向けて戻るため、一部の排熱は空調機２０に近い側の通信装置１０Ａ、１０Ｂの吸気面の部分へ回り込むことがある。そのため、その部分における通信装置１０Ａ、１０Ｂの冷気の吸気が阻害されることがある。
【００２１】
（間仕切りの設置例１）
そこで、本実施の形態では、図３に示すように、コールドアイルの空調機２０に面した側の出入口に間仕切り１００を設置する。すなわち、図３のように、通信装置１０Ａの空調機２０側の端面のコールドアイル側の角部分と、通信装置１０Ｂの空調機２０側の端面のコールドアイル側の角部分との間に間仕切り１００を設置する。図１と図３を比較してわかるように、間仕切り１００を設置することで、空調機２０側からの排熱の吸気面への回り込みを防止することができる。
【００２２】
図４は、間仕切り１００を設置した場合における、空調機２０、通信装置１０Ａ、１０Ｂを斜め上から見た斜視図である。
【００２３】
図４に示すように、間仕切り１００は、空調機２０に面した側の通路（コールドアイル）の出入口に設置する。
【００２４】
図４に示す例では、間仕切り１００は、長方形の形状であり、その下端が床面に接し、その高さは通信装置１０Ａ、１０Ｂの高さと同じである。ただし、これは一例である。排熱の吸気面への回り込みを防止できるのであれば、間仕切り１００の下端が床面に接していなくてもよい。また、間仕切り１００の高さは、ある閾値の範囲内で、通信装置１０Ａ、１０Ｂの高さよりも高くてもよいし、低くてもよい。また、間仕切り１００の厚さは特に限定はなく、形状を保つことができる程度の厚さがあればよい。
【００２５】
間仕切り１００の構造は、人が通信装置１０Ａと１０Ｂ間の通路に出入りして、通信装置１０Ａ、１０Ｂに対する作業をすることを可能とするために、出入り可能な構造とする。具体的には、のれん式、ロールスクリーン式、ジャバラ式等の構造を用いることができる。また、両開き又は片開きで開閉する扉の方式であってもよい。なお、間仕切り１００の構造を出入り可能な構造とすることは例であり、間仕切り１００が出入り不可能な構造（固定構造）であってもよい。
【００２６】
また、間仕切り１００の材質ついて、排熱の回り込み防止のためにはどのような材質であってもよいが、防炎性・難燃性・耐熱性を確保する材質とすることが望ましい。
【００２７】
また、間仕切りを図４に示す位置に設置する方法としては、任意の方法を用いることができる。例えば、図５（間仕切り１００を空調機２０の側から見た正面図）のＣで示す部分（通信装置１０Ａの空調機側端面の右端角部分）あるいはＤで示す部分（通信装置１０Ｂの空調機側端面の左端角部分）あるいはＣとＤの両方に、間仕切り１００を取り付ける部材を備え、その部材に間仕切り１００を取り付けるようにすることができる。
【００２８】
なお、図５の例では、間仕切り１００が窓のない部材であることが示されているが、これは例である。例えば、排熱回り込み防止に影響のない部分に窓を設けても良い。また、図５は、間仕切り１００と通信装置１０Ａ、１０Ｂの横との間に隙間がない例を示しているが、排熱回り込み防止に影響のない範囲で隙間があってもよい。
【００２９】
（間仕切りの設置例２）
図６は、間仕切り１００の他の例を示す図である。図６に示す間仕切り１００は、間仕切りの設置例１として図４等で説明した間仕切り１００に相当する空調機２０の前面に設置される前部間仕切り１１０と、通信装置１０Ａ、１０Ｂの吸気面上部（かつ、通信装置１０Ａ、１０Ｂの空調機２０の側）に設置される上部間仕切り１２０を有する。上部間仕切り１２０を追加で備えることで、上部からの排熱回り込みを防ぐことができ、より高い排熱回り込み防止効果を得ることができる。
【００３０】
前部間仕切り１１０は、間仕切りの例１で説明した間仕切り１００と同様のものである。上部間仕切り１２０は、例えば、作業性に影響を与えないようにするために、ロールスクリーン式等を採用することで可動式とする。ただし、可動式であることは例であり、板あるいはシートのような非可動式の構造を用いても良い。上部間仕切り１２０の厚さは特に限定はなく、形状を保つことができる程度の厚さがあればよい。
【００３１】
上部間仕切り１２０を図６に示す位置に設置する方法としては、任意の方法を用いることができる。例えば、図７（上から見た平面図）のＥで示す部分（通信装置１０Ａの上面の右端角部分）あるいはＦで示す部分（通信装置１０Ｂの上面の左端角部分）あるいはＥとＦの両方に、上部間仕切り１２０を取り付ける部材を備え、その部材に上部間仕切り１２０を取り付けるようにしてもよい。なお、前部間仕切り１１０と上部間仕切り１２０とは接続されていてもよいし、ある程度の隙間（排熱回り込み防止に影響のない範囲）を介して切り離されていてもよい。また、前部間仕切り１１０と上部間仕切り１２０が一体の部材であってもよい。
【００３２】
図７は、上部間仕切り１２０と通信装置１０Ａ、１０Ｂの横との間に隙間がない例を示しているが、排熱回り込み防止に影響のない範囲で隙間があってもよい。
【００３３】
上部間仕切り１２０の奥行の長さ（図７のＬ）は、例えば、上部からの排熱回り込みを観測することで、その排熱回り込みを効果的に防止できる長さとして決定することができる。例えば、上部間仕切り１２０の奥行の長さは、図７に示すように、１ラック分程度の長さとしてもよい。なお、上部間仕切り１２０の奥行の長さが１ラック分程度の長さであることは一例に過ぎない。
【００３４】
（実施の形態の効果）
以上説明したとおり、本実施の形態では、コールドアイル全体ではなく、排熱の回り込みの影響を受けやすい部分のみに間仕切りを設置することとした。これにより、低価格を実現し、かつ、簡易な運用を可能とする排熱の回り込み防止を実現できる。また、閉じた空間を形成しないため、安全性も向上する。結果として、通信機械室における空調効率改善に寄与する。
【００３５】
すなわち、通信装置の吸気面への排熱の回り込みを簡易な構造で防ぐことができ、機械室の作業性を低下させることなく空調効率を改善することが可能となる。
【００３６】
（実施の形態のまとめ）
本明細書には、少なくとも下記の事項が開示されている。
（第１項）
空調機とＩＣＴ装置とが設置される機械室における排熱回り込み防止方法であって、
吸気面同士が向い合うように設置された２つのＩＣＴ装置の間の通路における前記空調機に面した側に間仕切りを設置する排熱回り込み防止方法。
（第２項）
前記通路はコールドアイルであり、当該コールドアイルにおける前記空調機に面した側の出入口に前記間仕切りを設置する
第１項に記載の排熱回り込み防止方法。
（第３項）
前記通路における前記空調機の側の一部の上部に上部間仕切りを更に設置する
第１項又は第２項に記載の排熱回り込み防止方法。
（第４項）
空調機とＩＣＴ装置とが設置される機械室における排熱回り込み防止のための間仕切りであって、
吸気面同士が向い合うように設置された２つのＩＣＴ装置の間の通路における前記空調機に面した側に設置される間仕切り。
（第５項）
前記通路はコールドアイルであり、前記間仕切りは、当該コールドアイルにおける前記空調機に面した側の出入口に設置される
第４項に記載の間仕切り。
（第６項）
前記通路における前記空調機の側の一部の上部に設置される上部間仕切りを更に有する
第４項又は第５項に記載の間仕切り。
【００３７】
以上、本実施の形態について説明したが、本発明はかかる特定の実施形態に限定されるものではなく、特許請求の範囲に記載された本発明の要旨の範囲内において、種々の変形・変更が可能である。
【符号の説明】
【００３８】
１０Ａ、１０Ｂ  通信装置
２０  空調機
１００  間仕切り
１１０  前部間仕切り
１２０  上部間仕切り
【図１】
2020094743.tif 000003
【図２】
2020094743.tif 000004
【図３】
2020094743.tif 000005
【図４】
2020094743.tif 000006
【図５】
2020094743.tif 000007
【図６】
2020094743.tif 000008
【図７】
2020094743.tif 000009